(57)【要約】【課題】周囲環境と調和した住宅プランを提案することができる住宅プラン提案システムを提供する。【解決手段】住宅プラン提案システムは、住宅を建設する建設予定地の近隣に建てられた近隣住宅の外観情報を周囲外観情報取得部２２により取得するとともに、住宅外観について顧客の好みに関する住宅外観好み情報を住宅外観好み情報取得部３３により取得する。そして、周囲外観情報取得部２２により取得した近隣住宅の外観情報と、住宅外観好み情報取得部３３により取得した住宅外観好み情報とに基づいて、外観プラン候補作成部３２等により顧客に提案する住宅の外観プランを作成する。【選択図】図２
2019200668.tif 000002
【特許請求の範囲】
【請求項１】
予め定められた建設予定地に建設予定の住宅を対象に、その住宅の外観プランを作成し提案するための住宅プラン提案システムであって、
前記建設予定地の周囲の外観に関する周囲外観情報を取得する周囲外観情報取得手段と、
その周囲外観情報取得手段により取得された周囲外観情報に基づき、前記住宅の外観プランを作成する住宅プラン作成手段と、
を備えることを特徴とする住宅プラン提案システム。
【請求項２】
住宅外観について顧客の好みに関する住宅外観好み情報を取得する住宅外観好み情報取得手段を備え、
前記住宅プラン作成手段は、前記住宅外観好み情報に基づいて、前記住宅プランを作成することを特徴とする請求項１に記載の住宅プラン提案システム。
【請求項３】
前記周囲外観情報取得手段は、前記建設予定地の近隣に建てられた近隣住宅の外観情報を前記周囲外観情報として取得し、
前記住宅プラン作成手段は、前記近隣住宅の外観情報に基づき、前記住宅の外観プランを作成することを特徴とする請求項１又は２に記載の住宅プラン提案システム。
【請求項４】
前記住宅プラン作成手段は、前記住宅の外観プランとして、前記住宅の外構を含めた外構付きの外観プランを作成し、
前記周囲外観情報取得手段は、前記近隣住宅の外構の外観情報を前記周囲外観情報として取得し、
前記住宅プラン作成手段は、前記近隣住宅の外構の外観情報に基づき、前記住宅の外観プランを作成することを特徴とする請求項３に記載の住宅プラン提案システム。
【請求項５】
前記周囲外観情報取得手段により取得された前記近隣住宅の外観情報に基づき、前記近隣住宅と調和する前記住宅の外観基準を設定する設定手段を備え、
前記住宅プラン作成手段は、前記設定された外観基準に基づいて、前記住宅の外観プランを作成することを特徴とする請求項３又は４に記載の住宅プラン提案システム。
【請求項６】
過去に提案を行った外観プランが顧客に採用されたか否かに関するプラン採否情報を記憶する採否情報記憶手段を備え、
前記住宅プラン作成手段は、前記採否情報記憶手段に記憶されたプラン採否情報に基づいて、前記住宅の外観プランを作成することを特徴とする請求項１乃至５のいずれか一項に記載の住宅プラン提案システム。
【請求項７】
住宅外観について顧客の好みに関する住宅外観好み情報を取得する住宅外観好み情報取得手段と、
前記住宅プラン作成手段により作成された前記住宅についての複数の外観プランのうち、顧客に採用された外観プランである顧客採用プランを、前記複数の外観プランと、前記住宅外観好み情報とに対応付けて記憶する記憶部と、
前記記憶部に対応付けて記憶された前記顧客採用プラン、前記複数の外観プラン及び前記住宅外観好み情報に基づき、それら３者の相関関係を分析する相関関係分析手段と、
を備え、
前記住宅プラン作成手段は、前記相関関係分析手段の分析結果に基づいて、前記住宅の外観プランを作成することを特徴とする請求項１乃至６のいずれか一項に記載の住宅プラン提案システム。
【発明の詳細な説明】
【技術分野】
【０００１】
本発明は、予め定められた建設予定地に建設予定の住宅を対象に、その住宅の外観プランを作成し提案するための住宅プラン提案システムに関する。
【背景技術】
【０００２】
近年、住宅販売会社では、住宅の購入を考えている顧客に対し、コンピュータグラフィック（以下、ＣＧという）により作成した住宅プランをディスプレイ上に表示させて提案するといったことがよく行われている。特許文献１には、こうした提案に際し用いられるプラン提案システムとして、住宅を建設する建設予定地の周囲環境（隣家等）に関する情報を取得し、その取得した周囲環境をＣＧで作成した住宅（住宅プラン）とともにディスプレイ上に表示するシステムが開示されている。このシステムによれば、住宅だけでなく、住宅の周囲環境との調和についても確認することができるため、顧客が住宅購入後の生活をイメージし易い等の利点を得ることができる。
【先行技術文献】
【特許文献】
【０００３】
【特許文献１】特開２００６−１４６５６９号公報
【発明の概要】
【発明が解決しようとする課題】
【０００４】
しかしながら、上記特許文献１のシステムでは、作成した住宅プランによっては、その住宅プランが周囲環境と調和しない場合が想定される。その場合、顧客の満足する住宅プランを提案することができないおそれがある。
【０００５】
本発明は、上記事情に鑑みてなされたものであり、周囲環境と調和した住宅プランを提案することができる住宅プラン提案システムを提供することを主たる目的とするものである。
【課題を解決するための手段】
【０００６】
上記課題を解決すべく、第１の発明の住宅プラン提案システムは、予め定められた建設予定地に建設予定の住宅を対象に、その住宅の外観プランを作成し提案するための住宅プラン提案システムであって、前記建設予定地の周囲の外観に関する周囲外観情報を取得する周囲外観情報取得手段と、その周囲外観情報取得手段により取得された周囲外観情報に基づき、前記住宅の外観プランを作成する住宅プラン作成手段と、を備えることを特徴とする。
【０００７】
本発明によれば、予め定められた建設予定地の周囲の外観に関する周囲外観情報が取得され、その取得された周囲外観情報に基づき建設予定地に建設予定の住宅についてその外観プランが作成される。これにより、建設予定地の周囲の外観に調和する外観プランを作成することができるため、周囲環境と調和した住宅プランを提案することができる。
【０００８】
第２の発明の住宅プラン提案システムは、第１の発明において、住宅外観について顧客の好みに関する住宅外観好み情報を取得する住宅外観好み情報取得手段を備え、前記住宅プラン作成手段は、前記住宅外観好み情報に基づいて、前記住宅プランを作成することを特徴とする。
【０００９】
本発明によれば、住宅外観についての顧客の好みに基づき住宅の外観プランを作成することができる。これにより、周囲環境との調和を図りつつ、顧客の好みに合った住宅プランを提案することができる。
【００１０】
第３の発明の住宅プラン提案システムは、第１又は第２の発明において、前記周囲外観情報取得手段は、前記建設予定地の近隣に建てられた近隣住宅の外観情報を前記周囲外観情報として取得し、前記住宅プラン作成手段は、前記近隣住宅の外観情報に基づき、前記住宅の外観プランを作成することを特徴とする。
【００１１】
本発明によれば、建設予定地の近隣に建てられた近隣住宅の外観情報に基づき住宅の外観プランが作成される。この場合、近隣住宅の外観と調和する外観プランを作成することができるため、近隣住宅と調和した住宅プランを提案することができる。
【００１２】
第４の発明の住宅プラン提案システムは、第３の発明において、前記住宅プラン作成手段は、前記住宅の外観プランとして、前記住宅の外構を含めた外構付きの外観プランを作成し、前記周囲外観情報取得手段は、前記近隣住宅の外構の外観情報を前記周囲外観情報として取得し、前記住宅プラン作成手段は、前記近隣住宅の外構の外観情報に基づき、前記住宅の外観プランを作成することを特徴とする。
【００１３】
本発明によれば、近隣住宅の外構の外観情報に基づいて住宅の外観プランが作成される。この場合、例えば近隣住宅の外構と調和する外構を含む外観プランを作成することができるため、近隣住宅とより調和した住宅プランを提案することができる。
【００１４】
第５の発明の住宅プラン提案システムは、第３又は第４の発明において、前記周囲外観情報取得手段により取得された前記近隣住宅の外観情報に基づき、前記近隣住宅と調和する前記住宅の外観基準を設定する設定手段を備え、前記住宅プラン作成手段は、前記設定された外観基準に基づいて、前記住宅の外観プランを作成することを特徴とする。
【００１５】
本発明によれば、近隣住宅の外観情報に基づき近隣住宅と調和する住宅の外観基準が設定され、その外観基準を基に住宅の外観プランが作成される。これにより、近隣住宅と調和する住宅プランを具体的に作成し提案することができる。
【００１６】
第６の発明の住宅プラン提案システムは、第１乃至第５のいずれかの発明において、過去に提案を行った外観プランが顧客に採用されたか否かに関するプラン採否情報を記憶する採否情報記憶手段を備え、前記住宅プラン作成手段は、前記採否情報記憶手段に記憶されたプラン採否情報に基づいて、前記住宅の外観プランを作成することを特徴とする。
【００１７】
本発明によれば、過去に提案を行った外観プランが顧客に採用されたか否かに関するプラン採否情報に基づき、住宅の外観プランが作成される。この場合、過去に提案を行った外観プランのうち、顧客に採用された外観プランに基づき、住宅の外観プランを作成するといったことが可能となる。これにより、周囲環境との調和を図りつつ、顧客に受け入れられ易い住宅プランを提案することが可能となる。
【００１８】
第７の発明の住宅プラン提案システムは、第１乃至第６のいずれかの発明において、住宅外観について顧客の好みに関する住宅外観好み情報を取得する住宅外観好み情報取得手段と、前記住宅プラン作成手段により作成された前記住宅についての複数の外観プランのうち、顧客に採用された外観プランである顧客採用プランを、前記複数の外観プランと、前記住宅外観好み情報とに対応付けて記憶する記憶部と、前記記憶部に対応付けて記憶された前記顧客採用プラン、前記複数の外観プラン及び前記住宅外観好み情報に基づき、それら３者の相関関係を分析する相関関係分析手段と、備え、前記住宅プラン作成手段は、前記相関関係分析手段の分析結果に基づいて、前記住宅の外観プランを作成することを特徴とする。
【００１９】
本発明によれば、住宅についての複数の外観プランのうち、顧客に採用された外観プラン（顧客採用プラン）が上記複数の外観プランと顧客の住宅外観好み情報とに対応付けて記憶され、それら記憶された３者の情報を基にそれら３者の相関関係が分析される。この場合、例えば、顧客の住宅外観の好みに応じて、その顧客がどのような外観プランを採用するか分析したりすることができる。そして、その分析結果に基づき、住宅の外観プランが作成されるため、顧客の好みに応じてその顧客に受け入れられ易い住宅プランを提案することが可能となる。
【図面の簡単な説明】
【００２０】
【図１】住宅プラン提案システムの電気的構成を示す図。
【図２】住宅プラン提案処理を示す機能ブロック図。
【図３】建設予定地の周辺環境を示す図。
【図４】マンセル色立体を用いた住宅色基準の設定について説明するための図。
【図５】外観プランの一例を示す図。
【図６】顧客の好みに合う外壁色の設定について説明するための図。
【発明を実施するための形態】
【００２１】
以下に、本発明を具体化した一実施の形態について図面を参照しつつ説明する。本実施形態では、予め定められた建設予定地に建設予定の住宅を対象に、その住宅の外観プランを作成し顧客に提案するための住宅プラン提案システムについて具体化している。図１は、その住宅プラン提案システムの電気的構成を示す図である。
【００２２】
図１に示すように、住宅販売会社には住宅プラン提案装置１０が設けられている。本実施形態では、住宅販売会社に訪れた顧客に対し、住宅プラン提案装置１０を用いて住宅の外観プランを提案することを想定している。また、本実施形態では、住宅販売会社の販売スタッフが、顧客との面談時（顧客対応時）に、顧客から建設予定の住宅に関する各種情報を聞き出し、その聞き出した情報を基に住宅プラン提案装置１０による住宅プランの提案を行うことを想定している。
【００２３】
住宅プラン提案装置１０は、パーソナルコンピュータにより構成され、制御部１１と、操作部１２と、表示部１３と、記憶部１４とを備える。制御部１１は、操作部１２、表示部１３及び記憶部１４と接続されている。制御部１１は、住宅の外観プランの提案を行う住宅プラン提案処理等、各種処理を行うものである。
【００２４】
操作部１２は、住宅プラン提案処理に必要な各種情報を入力するためのもので、キーボードやマウス等を備えて構成されている。操作部１２に対して入力操作が行われると、その入力された情報が制御部１１に入力される。本実施形態では、住宅販売会社の販売スタッフが顧客から建設予定の住宅に関する各種情報を聞き出し、その聞き出した情報を販売スタッフが操作部１２により入力する。
【００２５】
表示部１３は、住宅プラン提案処理により作成される住宅の外観プラン等、各種情報を表示するためのもので、ディスプレイを備えて構成されている。制御部１１より表示部１３に各種情報が入力されると、その入力された情報が表示部１３に表示される。
【００２６】
住宅プラン提案装置１０は、インターネット等のネットワーク１５を介して地理情報サーバ１６と接続されている。地理情報サーバ１６は、日本全土の地理情報を記憶するデータベースを有している。このデータベースには、地理情報として、地図情報の他、衛星画像やストリートビュー画像等の画像情報が記憶されている。地理情報サーバ１６としては、例えば、Ｇｏｏｇｌｅマップ（登録商標）やＧｏｏｇｌｅストリートビュー（登録商標）、Ｇｏｏｇｌｅアース（登録商標）等が用いられる。住宅プラン提案装置１０の制御部１１は、必要に応じて、地理情報サーバ１６にネットワーク１５を通じてアクセスし、同サーバ１６から住宅の建設予定地周辺の画像情報を取得する。
【００２７】
次に、住宅プラン提案装置１０により実行される住宅プラン提案処理の流れを図２に基づいて説明する。図２は、住宅プラン提案処理を示す機能ブロック図である。なお、住宅プラン提案装置１０では、図２中の各ブロック２１〜２７，３３〜３７が制御部１１により実現され、各データベース３１，３２が記憶部１４により構築されている。
【００２８】
本実施形態では、上述したように、建設予定地に建設を予定している住宅（以下、住宅Ｘという）を対象として、その住宅Ｘの外観プランを住宅プラン提案処理により作成し提案することとしている。そこで、住宅プラン提案処理の説明に先立ち、まず、住宅Ｘの建設予定地の周辺環境について図３を参照しながら簡単に説明する。図３は、建設予定地の周辺環境を示す図である。
【００２９】
図３に示すように、住宅Ｘの建設予定地１７の周辺には複数の住宅１８が建てられている。これらの住宅１８は建設予定地１７の近隣に建てられた近隣住宅１８となっている。これら各近隣住宅１８の周りには植栽１９として樹木が植えられている。なお、これらの植栽１９は近隣住宅１８の外構に相当する。また、建設予定地１７に建設予定の住宅Ｘについても、その周囲に植栽（以下、植栽Ｙという）として樹木が植えられることが予定されている。
【００３０】
住宅プラン提案処理においては、まず図２に示すように、建設予定地取得部２１にて、建設予定地１７に関する建設予定地情報を取得する。建設予定地取得部２１は、操作部１２により建設予定地の住所が入力されると、その住所を建設予定地情報として取得する。
【００３１】
周囲外観情報取得部２２は、建設予定地取得部２１により取得された建設予定地情報に基づいて、建設予定地１７の周囲の外観に関する周囲外観情報を取得する。周囲外観情報取得部２２は、地理情報サーバ１６に建設予定地情報（例えば建設予定地の住所）を送信し、同サーバ１６に建設予定地１７周辺の画像情報の送信を要求する。地理情報サーバ１６は、この要求に基づいて、建設予定地１７周辺の画像情報を制御部１１に送信する。この建設予定地１７周辺の画像情報が制御部１１において受信されると、周囲外観情報取得部２２は、その画像情報を周囲外観情報として取得する。この場合、建設予定地１７周辺の画像情報には、各近隣住宅１８の画像情報と、それら近隣住宅１８の植栽１９の画像情報とが含まれている。これら近隣住宅１８及び植栽１９の画像にはストリートビューの画像（水平方向から見た画像）が含まれている。周囲外観情報取得部２２は、近隣住宅１８の画像情報を近隣住宅１８の外観情報として取得し、植栽１９の画像情報を植栽１９の外観情報として取得する。なお、周囲外観情報取得部２２が周囲外観情報取得手段に相当する。
【００３２】
住宅外観基準設定部２３は、周囲外観情報取得部２２により取得された近隣住宅１８の外観情報に基づいて、近隣住宅１８と調和する住宅Ｘの外観基準を住宅外観基準として設定する。本実施形態では、住宅外観基準として、住宅Ｘの高さ（屋根高さ）に関する住宅高さ基準と、住宅Ｘの外装材（外壁材や屋根材）の色に関する住宅色基準とを設定する。なお、住宅外観基準設定部２３が設定手段に相当する。
【００３３】
住宅高さ基準の設定に際しては、まず各近隣住宅１８の画像情報に基づき、それら近隣住宅１８の高さ（高さ寸法）を算出する。この算出は、例えば周知の画像解析等により行う。そして、算出した各近隣住宅１８の高さに基づき、住宅高さ基準を設定する。具体的には、各近隣住宅１８の高さの平均値Ｈｖ（平均屋根高さ）を算出し、その算出した平均値Ｈｖに基づき住宅高さ基準を設定する。例えば、算出した平均値Ｈｖの０．８倍〜１．２倍の高さ範囲（０．８Ｈｖ〜１．２Ｈｖ）を住宅高さ基準として設定する。
【００３４】
続いて、住宅色基準の設定に際してはまず、各近隣住宅１８の画像情報に基づき、それら近隣住宅１８の外装材（外壁材及び屋根材）の色情報を取得する。例えば、色情報をＲＧＢ値で取得する。そして、取得した各近隣住宅１８の外装材の色情報に基づき、住宅Ｘの住宅色基準を設定する。具体的には、各近隣住宅１８の外壁材の色情報に基づき、住宅Ｘの外壁材に関する色基準を設定する。また、各近隣住宅１８の屋根材の色情報に基づき、住宅Ｘの屋根材に関する色基準を設定する。
【００３５】
住宅色基準の設定に際しては、例えばマンセル色立体を用いる。マンセル色立体は予め記憶部１４に記憶されている。図４には、そのマンセル色立体を用いた住宅色基準の設定について説明するための図が示されている。この場合、図４に示すように、まずマンセル色立体Ｖに上記取得した各近隣住宅１８の外装材の色情報をマッピングする。そして、そのマッピングした各色情報を内包する最小の球範囲（図４のハッチング範囲）を算出し、その算出した球範囲に対応する色範囲を住宅色基準として設定する。
【００３６】
植栽外観基準設定部２４は、周囲外観情報取得部２２により取得された各近隣住宅１８の植栽１９の画像情報に基づき、これら植栽１９と調和する植栽Ｙ（住宅Ｘの周りに植えられる植栽Ｙ）の外観基準を植栽外観基準として設定する。本実施形態では、植栽外観基準として、植栽Ｙの種類に関する植栽種類基準と、植栽Ｙの高さに関する植栽高さ基準とを設定する。
【００３７】
植栽種類基準の設定に際しては、まず、各近隣住宅１８の植栽１９の画像情報に基づいて、それら植栽１９（具体的には樹木）の種類をそれぞれ特定する。この特定に際しては、例えば植栽の種類を検索可能な検索サイトを利用する。この場合、ネットワーク１５（インターネット）を通じて上記検索サイトにアクセスし、その検索サイトを用いて植栽１９の画像を基に当該植栽１９の種類を検索し特定する。
【００３８】
各近隣住宅１８の植栽１９の種類を特定した後、その特定結果に基づいて、建設予定地１７の周囲で多く用いられている植栽１９の種類を分析（特定）する。例えば、植栽１９として用いられている数の多い上位５種類の植栽１９を特定する。この場合、その特定された上位５種類を植栽種類基準として設定する。
【００３９】
続いて、植栽高さ基準の設定に際してはまず、各近隣住宅１８の植栽１９の画像情報に基づいて、それら植栽１９の高さ（高さ寸法）を算出する。この算出は、例えば周知の画像解析等により行う。そして、算出した各植栽１９の高さに基づいて、植栽高さ基準を設定する。具体的には、各植栽１９の高さに基づいて、植栽１９の高さと本数との関係を示す分布図を作成する。つまり、植栽１９が各高さ（高さ範囲）ごとに何本あるかを示す分布図を作成する。そして、その分布図に基づいて、植栽１９の本数が比較的多い高さ範囲を植栽高さ基準として設定する。
【００４０】
住宅プラン候補作成部２５は、顧客に提案する住宅Ｘの外観プランＰの候補を作成する。住宅プラン候補作成部２５は、コンピュータグラフィック（ＣＧ）により外観プランＰの候補を作成する。図５には、その外観プランＰ（の候補）の一例が示されている。同図５に示すように、住宅プラン候補作成部２５は、住宅Ｘの外観プランＰの候補をファザード（正面外観）として作成する。この外観プランＰは、住宅Ｘの周囲に植えられる植栽Ｙを含めた植栽付きの外観プランとなっている。そのため、外観プランＰには、住宅Ｘに加え植栽Ｙの外観がデザインされている。したがって、外観プランＰには、住宅Ｘの外観デザインである住宅デザインＤ１と、植栽Ｙの外観デザインである植栽デザインＤ２とが含まれている。なお、詳しくは、外観プランＰには、建設予定地１７の周囲の外観に関するデザインについては含まれておらず、そのため、外観プランＰには、住宅デザインＤ１及び植栽デザインＤ２のみが含まれている。
【００４１】
住宅プラン候補作成部２５は、住宅デザインＤ１を作成する住宅デザイン作成部２６と、植栽デザインＤ２を作成する植栽デザイン作成部２７とを有している。住宅プラン候補作成部２５は、住宅デザイン作成部２６により作成した住宅デザインＤ１と、植栽デザイン作成部２７により作成した植栽デザインＤ２とに基づいて、外観プランＰの候補を作成する。具体的には、住宅プラン候補作成部２５は、作成した住宅デザインＤ１と植栽デザインＤ２とを組み合わせることで外観プランＰの候補を作成する。
【００４２】
住宅デザイン作成部２６は、住宅外観基準設定部２３により設定された住宅外観基準に基づいて、住宅デザインＤ１を作成する。具体的には、住宅デザイン作成部２６は、住宅外観基準設定部２３により設定された住宅高さ基準及び住宅色基準に基づいて、住宅デザインＤ１を作成する。この場合、住宅デザイン作成部２６は、住宅高さ基準及び住宅色基準をそれぞれ満たすように、住宅デザインＤ１を作成する。
【００４３】
また、住宅デザイン作成部２６は、住宅の製造を行う住宅メーカにおいて取り扱われている外装材（外壁材や屋根材）に基づき、住宅デザインＤ１を作成する。住宅メーカで取り扱われている外装材に関する情報は外装材情報として外装材データベース３１に記憶されている。外装材データベース３１には、外装材情報として、住宅メーカで取り扱われている外装材の種類（仕様）の情報が記憶されている。詳しくは、外装材データベース３１には、外壁材及び屋根材のそれぞれについて、取り扱い可能な複数の種類（寸法や色の異なる複数の種類）が記憶されている。住宅デザイン作成部２６は、その外装材データベース３１に記憶されている外装材情報に基づいて、住宅デザインＤ１を作成する。
【００４４】
また、住宅デザイン作成部２６は、過去に提案を行った外観プランが採用されたか否かに関するプラン採否情報に基づき、住宅デザインＤ１を作成する。過去のプラン採否情報はプラン採否情報データベース３２に記憶されている。プラン採否情報データベース３２には、過去に提案を行った複数の外観プランについてのプラン採否情報が記憶されている。住宅デザイン作成部２６は、プラン採否情報データベース３２に記憶されているプラン採否情報に基づき、住宅デザインＤ１を作成する。例えば、過去に採用された外観プラン（詳しくは同プラン中の住宅デザイン）に基づいて、住宅デザインＤ１を作成する。なお、プラン採否情報データベース３２が採否情報記憶手段に相当する。
【００４５】
植栽デザイン作成部２７は、植栽外観基準設定部２４により設定された植栽外観基準に基づいて、植栽デザインＤ２を作成する。具体的には、植栽デザイン作成部２７は、植栽外観基準設定部２４により設定された植栽種類基準及び植栽高さ基準に基づいて、植栽デザインＤ２を作成する。この場合、植栽デザイン作成部２７は、植栽種類基準及び植栽高さ基準をそれぞれ満たすように、植栽デザインＤ２を作成する。
【００４６】
住宅外観好み情報取得部３３は、住宅の外観について顧客の好みに関する住宅外観好み情報を取得する。住宅外観好み情報取得部３３は、操作部１２により住宅の外観についての顧客の好みが入力されることに基づき、住宅外観好み情報を取得する。本実施形態では、操作部１２により顧客の好きな住宅の外観スタイル（及び嫌いな外観スタイル）が入力されるようになっており、その入力された外観スタイルの情報が住宅外観好み情報として取得される。なお、住宅外観好み情報取得部３３が住宅外観好み情報取得手段に相当する。
【００４７】
外装材設定部３４は、住宅外観好み情報取得部３３により取得された住宅外観好み情報（外観スタイルの好み情報）に基づいて、顧客の好みに合う外装材の種類（仕様）を設定する。例えば、外装材設定部３４は、顧客の好みに合う外壁材の色（つまり外壁色）を設定する。ここで、かかる外壁色の設定に関し図６を用いながら説明すると、図６の例では、住宅外観好み情報取得部３３により取得された顧客の好きな外観スタイルが「和モダン」とされ、嫌いな外観スタイルが「洋風」とされている。記憶部１４には、住宅の外観スタイルごとに、その外観スタイルにおいて推奨される外壁色（推奨色）と推奨されない外壁色（非推奨色）とが記憶されている。外装材設定部３４により顧客の好みに合う外壁色を設定する際には、まず、住宅外観好み情報取得部３３により取得された顧客の好きな外観スタイル、嫌いな外観スタイルに対応する推奨色及び非推奨色を記憶部１４より読み出す。例えば、顧客の好きな外観スタイルである「和モダン」の場合、それに対応する推奨色として「外壁色Ａ」「外壁色Ｂ」が読み出され、非推奨色として「外壁色Ｃ」「外壁色Ｄ」が読み出される。
【００４８】
続いて、記憶部１４より読み出された顧客の好きな外観スタイル、嫌いな外観スタイルに対応する推奨色及び非推奨色に基づき、顧客の好みに合う外壁色を設定する。図６の例では、かかる外壁色を優先順位を付けて５つ設定している。具体的には、顧客の好きな外観スタイルである「和モダン」の推奨色と、顧客の嫌いな外観スタイルである「洋風」の非推奨色とをそれぞれ、顧客の好みに合う外壁色として設定している。この場合、優先順位としては、前者が高く、後者が低く設定されている。
【００４９】
なお、顧客の好みに合う外壁色の設定の仕方は必ずしも上記の仕方に限ることはなく、例えば、顧客の好きな外観スタイルに対応する推奨色のみを顧客の好みに合う外壁色として設定するようにしてもよい。
【００５０】
植栽好み情報取得部３５は、植栽（樹木）について顧客の好みに関する植栽好み情報を取得する。植栽好み情報取得部３５は、操作部１２により植栽についての顧客の好みが入力されることに基づき、植栽好み情報を取得する。例えば、「落葉樹」や「桜」といった顧客の好きな植栽の種類が操作部１２により入力されることで、その植栽の種類を植栽好み情報として取得する。また、この場合、「落葉樹を除く」といった除く形式で植栽の種類を入力するようにしてもよい。例えば顧客が落ち葉掃除をしたくないという要望をもっている場合等にはこうした入力が有効となる。
【００５１】
住宅プラン絞込み部３６は、住宅プラン候補作成部２５により作成された住宅Ｘの外観プランＰの候補を絞り込むことで、顧客に提案する外観プランＰを決定する。住宅プラン絞込み部３６は、外装材設定部３４により設定された外装材の種類に基づいて、外観プランＰの候補を絞り込む。本実施形態では、外装材設定部３４により設定された外壁色に基づいて、外観プランＰの候補を絞り込む。具体的には、外観プランＰの候補を、（住宅デザインＤ１の）外壁色が上記設定された外壁色とされている外観プランＰに絞り込む。
【００５２】
また、住宅プラン絞込み部３６は、植栽好み情報取得部３５により取得された植栽好み情報に基づき、外観プランＰの候補を絞り込む。具体的には、住宅プラン絞込み部３６は、外観プランＰの候補を、植栽デザインＤ２が顧客の好きな植栽からなる外観プランＰに絞り込む。
【００５３】
上記のように、外観プランＰの候補が住宅プラン絞込み部３６により絞り込まれることで、残った候補が顧客に提案する外観プランＰとして決定される。本実施形態では、かかる外観プランＰが複数決定されるようになっており、それにより、顧客に対し複数の外観プランＰを提案することが可能となっている。但し、外観プランＰは必ずしも複数決定される必要はなく、１つだけ決定されるようにしてもよい。
【００５４】
なお、住宅プラン候補作成部２５と住宅プラン絞込み部３６とにより、顧客に提案する住宅Ｘの外観プランＰを作成する「住宅プラン作成手段」が構成されている。
【００５５】
住宅プラン表示部３７は、住宅プラン絞込み部３６による絞り込みにより決定された各外観プランＰを表示部１３に出力することで、それら外観プランＰを表示部１３に表示させる。これにより、各外観プランＰが顧客に対して提示（提案）される。
【００５６】
以上、詳述した本実施形態の構成によれば、以下の優れた効果が得られる。
【００５７】
予め定められた建設予定地１７の周囲の外観に関する周囲外観情報を取得し、その取得した周囲外観情報に基づき建設予定地１７に建設予定の住宅Ｘについてその外観プランＰを作成するようにした。これにより、建設予定地１７の周囲の外観に調和する外観プランＰを作成することができるため、周囲環境と調和した住宅プランを顧客に提案することができる。
【００５８】
住宅外観についての顧客の好みに関する住宅外観好み情報を取得し、その取得した住宅外観好み情報に基づき、住宅の外観プランＰを作成するようにした。この場合、住宅外観についての顧客の好みに応じて外観プランＰを作成することができるため、周囲環境との調和を図りつつ、顧客の好みに合った住宅プランを提案することができる。
【００５９】
建設予定地１７の近隣に建てられた近隣住宅１８の外観情報を取得し、その取得した近隣住宅１８の外観情報に基づき、住宅Ｘの外観プランＰを作成するようにした。この場合、近隣住宅１８の外観と調和する外観プランＰを作成することができるため、近隣住宅１８と調和した住宅プランを提案することができる。
【００６０】
近隣住宅１８の植栽１９の外観情報を取得し、その取得した植栽１９の外観情報に基づき、住宅Ｘの外観プランＰを作成するようにした。この場合、近隣住宅１８の植栽１９と調和する植栽Ｙを含む外観プランＰを作成することができるため、近隣住宅１８とより調和した住宅プランを提案することができる。
【００６１】
近隣住宅１８の外観情報に基づき近隣住宅１８と調和する住宅Ｘの外観基準を設定し、その住宅外観基準を基に住宅Ｘの外観プランＰを作成するようにした。また、近隣住宅１８の植栽１９の外観情報に基づき植栽１９と調和する植栽Ｙの外観基準を設定し、その植栽外観基準を基に（植栽Ｙを含む）住宅Ｘの外観プランＰを作成するようにした。これにより、近隣住宅１８と調和する住宅プランを具体的に作成し提案することができる。
【００６２】
近隣住宅１８及び植栽１９の外観情報を地理情報サーバ１６から取得するようにしたため、住宅販売会社の営業が建設予定地１７に出向いて周辺調査等を行う手間を省くことができる。
【００６３】
本発明は上記実施形態に限らず、例えば次のように実施されてもよい。
【００６４】
・上記実施形態では、周囲外観情報取得部２２において建設予定地１７の周囲外観情報を地理情報サーバ１６から取得するようにしたが、周囲外観情報は必ずしも地理情報サーバ１６から取得する必要はない。例えば、建設予定地１７周辺の画像を予め撮影し記憶部１４に記憶しておき、周囲外観情報取得部２２では、記憶部１４から建設予定地１７周辺の画像を読み出し周囲外観情報を取得するようにしてもよい。
【００６５】
・上記実施形態では、住宅プラン絞込み部３６において、住宅外観好み情報と植栽好み情報と（すなわち、住宅外観と植栽についての顧客の好み）に基づいて、住宅Ｘの外観プランＰの候補を絞り込んだが、かかる絞り込みは必ずしも行う必要はない。その場合、住宅プラン絞込み部３６（さらには各好み情報取得部３３，３５）が不具備となる。そのため、住宅プラン候補作成部２５により作成された外観プランＰの候補がそのまま顧客に提案される外観プランＰとなり、その外観プランＰ（の候補）が住宅プラン表示部３７において表示部１３に表示されることになる。したがって、この場合、住宅プラン候補作成部２５が、顧客に提案する外観プランＰを作成する「住宅プラン作成手段」に相当することになる。
【００６６】
・住宅プラン表示部３７により表示部１３に表示された複数の外観プランＰのうち、いずれの外観プランＰが顧客に採用されたかを制御部１１により判定するようにし、そして、顧客に採用されたと判定した外観プランＰを、制御部１１により、顧客採用プランとして記憶部１４に逐次記憶するようにしてもよい。この場合、各外観プランＰのうちいずれの外観プランＰが採用されたかは、操作部１２によりいずれの外観プランＰが選択されたかに基づき判定する。そして、記憶部１４に記憶された顧客採用プランに基づいて、住宅プラン作成手段（住宅プラン候補作成部２５等）により、外観プランＰを作成するようにしてもよい。この場合にも、顧客に受け入れられ易い住宅プランを提案することが可能となる。
【００６７】
また、制御部１１により顧客採用プランを記憶部１４に記憶するに際し、顧客採用プランを、表示部１３に表示された（換言すると住宅プラン作成手段により作成された）複数の外観プランＰと、住宅外観好み情報取得部３３により取得した住宅外観好み情報とに対応付けて記憶するようにしてもよい。そして、制御部１１により、記憶部１４に記憶された顧客採用プラン、複数の外観プランＰ及び住宅外観好み情報に基づいて、それら３者の相関関係を分析するようにしてもよい（相関関係分析手段に相当）。この分析は、例えばＡＩ（人工知能）を用いて行う。この場合、例えば、顧客の住宅外観の好みに応じて、その顧客がどのような外観プランを採用するか分析したりすることができる。そして、その分析結果に基づいて、住宅プラン作成手段により、外観プランＰを作成するようにする。この場合、顧客の好みに応じてその顧客に受け入れられ易い住宅プランを提案することが可能となる。
【００６８】
・上記実施形態では、住宅Ｘの外観プランＰとして、植栽Ｙを含む植栽Ｙ付きの外観プランを作成したが、植栽Ｙを含まない住宅Ｘのみの外観プランを作成してもよい。また、植栽Ｙ以外の外構を含む外観プランを作成してもよい。例えば、塀を含む外観プランを作成することが考えられる。この場合、近隣住宅１８の塀の外観画像を取得し、その外観画像を基に塀の外観デザイン、ひいては塀を含む外観プランを作成することが考えられる。
【００６９】
・住宅Ｘの外観プランＰは必ずしもファザード（正面外観）として作成する必要はなく、斜めから見た外観により作成してもよい。
【００７０】
・上記実施形態では、作成した外観プランＰを表示部１３に出力したが、これに代えて又は加えて、プリンタに出力してもよい。この場合、外観プランＰを顧客に印刷物として手渡すことができる。
【符号の説明】
【００７１】
１０…住宅プラン提案装置、１１…制御部、１７…建設予定地、１８…近隣住宅、１９…外構としての植栽、２２…周囲外観情報取得手段としての周囲外観情報取得部、２３…設定手段としての住宅外観基準設定部、３２…採否情報記憶手段としてのプラン採否情報データベース、３３…住宅外観好み情報取得手段としての住宅外観好み情報取得部、Ｐ…外観プラン、Ｘ…住宅、Ｙ…外構としての植栽。
【図１】
2019200668.tif 000003
【図２】
2019200668.tif 000004
【図３】
2019200668.tif 000005
【図４】
2019200668.tif 000006
【図５】
2019200668.tif 000007
【図６】
2019200668.tif 000008